(57)【要約】【課題】チェロのように椅子に座り弓で演奏することにより従来には見られない全く新しい演奏形態を創出することができるようにした弓奏型大正琴を提供する。【解決手段】胴本体１２に弦１３を張設し、天板１４に複数個の鍵１５を指板１８の隣り合うフレット１９間に位置するように配設する。胴本体１２の上部にピックアップ装置２１を設け、下端にエンドピン５０を伸縮自在に取付け、さらに裏面側に膝当て７０を取付ける。弓奏時にはエンドピン５０を引き出して床面に突き立て、膝当て７０を奏者の右膝に当てて楽器本体１２を安定した状態に保持し、左手で鍵１５を押鍵操作し、右手に持った弓１１で弦１３の擦弦部Ａを擦って演奏する。【選択図】  図７
2005283734.tif 000002
【特許請求の範囲】
【請求項１】
胴本体表面に設けた指板上に弦を張設し、前記弦を鍵により前記指板に設けたフレットに押しつけることで音階を選択し、前記弦を弓奏して発音する弓奏型大正琴であって、
弦張設機構を前記胴本体の上端側に備え、
前記鍵を低音側鍵が前記胴本体の胴尻側に位置し、高音側鍵が胴本体の先端側に位置するように配置し、
最高音の鍵と前記弦張設機構との間に上駒を設け、
前記上駒と前記最高音の鍵との間の位置で前記弦を弓奏するようにしたことを特徴とする弓奏型大正琴。
【請求項２】
伸縮自在なエンドピンを胴尻側に設けたことを特徴とする請求項１記載の弓奏型大正琴。
【請求項３】
胴本体の裏面側に弓奏時の安定性を確保する膝当てを設けたことを特徴とする請求項１記載の弓奏型大正琴。
【請求項４】
鍵を弦の両側に振り分けて配置したことを特徴とする請求項１、２，３のうちのいずれか１つに記載の弓奏型大正琴。
【発明の詳細な説明】
【技術分野】
【０００１】
本発明は大正琴に関し、特にピックの代わりに弓を用いチェロと同様な形態で演奏できるようにした弓奏型大正琴に関するものである。
【背景技術】
【０００２】
一般に知られているように大正琴は、卓上型の撥弦楽器で、共鳴胴からなる胴本体上に張設した複数本の弦と、各弦に対応して配設された複数本の鍵レバーとを備え、演奏時に左手で鍵レバーを押鍵操作することにより弦の隣合うフレット間の弦部分を当該鍵レバーで押え込み、当該鍵レバーの演奏者から見て右側に位置するフレットと下駒間の弦部分で共鳴孔に臨む部分をギターなどの撥弦楽器で用いられているピック（義甲）や指（右指）で弾くことにより、その弦振動を下駒を介して胴本体に伝達し、所望の音程の音を発音させるように構成されている。
【０００３】
また、最近では弦の振動を電気信号に変換して取り出すようにした電気式大正琴や、ピックの代わりに弓を用いて演奏する大正琴（以下、弓奏型大正琴という）も提案されている。電気式大正琴は、電磁式ピックアップ装置を設け、マグネットによって弦の近傍に磁界を形成し、弦の振動による磁界の変化に伴って発生する誘導起電力をピックアップコイルによってピックアップし電気信号として取り出すようにしたものである（例えば、特許文献１，２参照）。弓奏型大正琴は、ピックで撥弦する代わりにバイオリンやチェロと同様に弓で弦を弾いて演奏するもので、弓を当てる位置により音色が微妙に変化しさまざまな演奏効果が出せる利点を有している。また、バイオリンやチェロとは異なり簡単にその音質（弦の持続音）や演奏の雰囲気を醸し出すことができ、しかも音程を決めるフレットを備えているので、所望の音程を出し易いという利点も備えている（例えば、特許文献３参照）。
【特許文献１】実開平５−３０８９６号公報
【特許文献２】特開平１−２１１７９７号公報
【特許文献３】特開２００２−１２３２５３号公報
【発明の開示】
【発明が解決しようとする課題】
【０００４】
しかしながら、従来の卓上型大正琴１は、図８に示すように卓２に対して奏者３がやや斜めに座り、大正琴１をその左部分（糸巻き側）が少し斜め前方を指向し共鳴孔が奏者３側に近づくるように卓２上に設置して演奏するものであるため（非特許文献１参照）、弦楽器に属するとはいえバイオリン等の弓弦楽器やギター等の撥弦楽器に比べて演奏形態（持ち方、構え方）が著しく異なるという違和感があった。すなわち、バイオリン、ビオラ、ギター等は、椅子に座ったりあるいは立った状態で演奏するのに対し、大正琴１は琴と同様に一般に畳（または椅子）に座った状態で演奏するため、若い世代の人には古い感覚のイメージも強く馴染み難い楽器といえる。このため、ギター奏者やバイオリン奏者が気軽に大正琴を演奏するには無理がある。また、特開２００２−１２３２５３号公報に開示された弓奏型大正琴も、一般の大正琴と同様に卓上に設置して演奏するものであるため、前述したと同様な問題があった。
【非特許文献１】「大正琴の世界」金子敦子著  音楽之友社・大正琴協会  ｐ105
【０００５】
本発明は上記した従来の問題点を解決するためになされたもので、その目的とするところは、チェロのように椅子に座り弓で演奏することにより従来には見られない全く新しい演奏形態を創出することができるようにした弓奏型大正琴を提供することにある。
【課題を解決するための手段】
【０００６】
上記目的を達成するために本発明は、胴本体表面に設けた指板上に弦を張設し、前記弦を鍵により前記指板に設けたフレットに押しつけることで音階を選択し、前記弦を弓奏して発音する弓奏型大正琴であって、弦張設機構を前記胴本体の上端側に備え、前記鍵を低音側鍵が前記胴本体の胴尻側に位置し、高音側鍵が胴本体の先端側に位置するように配置し、最高音の鍵と前記弦張設機構との間に上駒を設け、前記上駒と前記最高音の鍵との間の位置で前記弦を弓奏するようにしたものである。
【０００７】
また、本発明は、伸縮自在なエンドピンを胴尻側に設けたものである。
【０００８】
また、本発明は、胴本体の裏面側に演奏時の安定性を確保する膝当てを設けたものである。
【０００９】
さらに、本発明は、鍵を弦の両側に振り分けて配置したものである。
【発明の効果】
【００１０】
本発明においては、チェロと同様に奏者が椅子に座り大正琴を立てた状態で弓奏することができ、従来に見られない新しい演奏形態を創出できる。演奏に際しては、右利きの奏者の場合、左手で鍵を押さえて音程を決定し、右手で弓を持って擦弦する。鍵は低音側鍵が胴本体の胴尻側に位置し、高音側鍵が先端側（糸巻き側）に位置するように配置されているので、左手による鍵操作を自然に行うことができる。
【００１１】
また、本発明は椅子に座って演奏するときは、エンドピンを通常の長さに伸ばして床上に立てれば、大正琴を所定の高さに維持することができ、また膝当てを奏者の膝に当てると大正琴を安定した状態に維持することができ、エンドピン回りの回転を防止することができる。エンドピンを短縮すると不使用時に邪魔にならず、楽器の搬送性を高めることができる。
【００１２】
また、本発明は、鍵を弦の両側に振り分けて配置しているので、弦の張設方向に隣り合う鍵どうしの距離を大きくすることができて鍵の釦の大きさに余裕をもたせることができ、鍵の操作性を向上させることができる。
【発明を実施するための最良の形態】
【００１３】
以下、本発明を図面に示す実施の形態に基づいて詳細に説明する。
図１は本発明に係る弓奏型大正琴の一実施の形態を示す正面図、図２は図１のII−II線断面図、図３は図１のIII −III 線断面図、図４は図１のＩＶ−ＩＶ線断面図、図５（ａ），（ｂ）は弦押えフェルトによって弦を押さえる様子を示す図、図６は段付きフレットと弦の関係を示す断面図、図７は弓奏時の演奏状態を示す図である。
【００１４】
これらの図において、本実施の形態は、ピックアップ装置を備えた電気式の弓奏型大正琴に適用した例を示す。全体を符号１０で示す弓奏型大正琴は、弓１１またはピックによって演奏されるもので、弓奏時の演奏状態で見て縦長となる胴本体１２と、この胴本体１２の表面側に張設された複数本、例えば２本の弦１３（１３Ａ，１３Ｂ）と、前記弦１３のうち胴本体１２の胴尻部（下駒部）１２Ａ付近から上方のピックアップ装置２１付近までの弦部分を覆うように胴本体１２の前方（手前側）に設けられた天板１４と、各弦１３を押え音程を決める複数個の鍵１５等を備えている。また、各弦１３の上下端付近を支持する弦ナット（以下、下駒という）１６および上駒１７と、複数個のフレット１９を備えた指板１８と、各弦１３の上端を係止する２つの糸巻き２０と、各弦１３の振動を検出し電気信号に変換する前記電磁式ピックアップ装置２１等を備えている。
【００１５】
前記弓１１は、  バイオリン等の弓弦楽器に用いられているものと同様なもので、図３に示すように背面側に反ったプラスチックまたは木製の棹１１Ａと、複数本の繊維を束ねて形成され前記棹１１Ａの両端間に差し渡された１本の扁平な弓毛（例えば、馬の尾毛）１１Ｂとで構成されている。
【００１６】
前記胴本体１２は、前面板を形成する響板２３、裏板２４，左右一対の側板２５、胴尻側ブロック２６、先端側ブロック２７等によって断面形状が略矩形で縦方向に長い中空の箱体に形成されることにより共鳴胴を構成し、響板２３と裏板２４の互いに対向する内面側には響棒２８と裏板桟２９がそれぞれ取付けられている。
【００１７】
前記弦１３は、１オクターブずれたユニゾンとするために太さの異なる２本の弦１３Ａ，１３Ｂが用いられる。各弦１３は、下端が前記胴本体１２の胴尻部１２Ａに取付けた弦掛け３３に係止され、上端が前記糸巻き２０にそれぞれ係止され、中間部が前記下駒１６と上駒１７によって支持することにより、前記指板１８と先端側ブロック２７の前方に所定の張力でもって張設されており、上駒１７とピックアップ装置２１の間の弦部分が演奏時に前記弓１１によって擦られる部分、すなわち擦弦部Ａを形成している。また、各弦１３は、下駒１６と上駒１７間の弦部分がＧ音の開放弦となるように調律されている。２本の弦１３のうち向かって左側の細い弦１３Ａは、ピアノ線からなる直径が例えば０．２５ｍｍの高音弦を形成し、右側の弦１３Ｂは巻線からなる直径が例えば０．５ｍｍの低音弦を形成している。これらの弦１３Ａ，１３Ｂは、その前方側周面から指板表面までの距離Ｈ（図６）が等しくなるように張設されている。言い換えれば、大正琴１０を水平に設置したとき、高音弦１３Ａと低音弦１３Ｂの上面は同一水平面上に位置し、指板１８の表面から各弦１３の上面までの距離が等しく設定されている。このため、低音弦１３Ｂの下面高さは高音弦１３Ａの下面高さより直径差（０．２５ｍｍ）だけ低い。
【００１８】
前記下駒１６は、指板１８の表面下端部に植設され、各弦１３の下端部を支持している。前記指板１８は、前記響板２３の表面中央に高さ方向の略全長にわたって延在するように接合されている。各弦１３の音程を決めるフレット１９は、指板１８の長手方向に下方より上方に向かうにしたがって徐々に間隔が狭くなるように植設され、前端部が指板１８の表面から前方に突出している。また、各フレット１９は、弦１３が押しつけられる先端面（弦受け面）のうち、図６に示すように、高音弦１３Ａに対応する左端部１９ａを低音弦１３Ｂに対応する右端部１９ｂより前方に突出させることにより段付きフレットを形成している。これらの弦受け面１９ａと１９ｂの突出寸法の差（段差）ｄは、高音弦１３Ａと低音弦１３Ｂの直径の差と等しい値（０．２５ｍｍ）に設定されている。フレット１９の弦受け面１９ａ，１９ｂに弦１３Ａ，１３Ｂの直径差と等しい段差ｄを設けた理由は、鍵１５を押鍵操作したとき２本の弦１３Ａ，１３Ｂを各弦受け面１９ａ，１９ｂに対して確実に押しつけ、所謂ビビリ音の発生を防止するためである。すなわち、フレット１９の弦受け面に段差ｄを設けない場合は、鍵１５によって２本の弦１３Ａ，１３Ｂを押し込んだとき、太い低音弦１３Ｂがフレット１９に当たるとそれ以上弦１３Ａ，１３Ｂを押し下げることができず、したがって細い高音弦１３Ａはフレット１９の弦受け面から直径差分だけ浮いた状態となるため、ビビリ音が発生する。
【００１９】
前記胴本体１２の前方には、前記天板１４が前記弦１３を挟んで指板１８と略平行に対向するように配設されている。天板１４の上下端部および中央部は、前記胴本体１２に取付けた複数個の取付金具３６の先端面に複数個の取付けねじ３８によって固定されている。また、天板１４の表面には、前記鍵１５を収納する複数個の凹陥部３９（図２）が左右２列に形成されるとともに鍵盤枠４０が固定されている。凹陥部３９は、前記弦１３を挟んで左右２列に、かつ左側と右側の凹陥部どうしが互いに対向しないように高さ方向にずらして形成されている。さらに、天板１４には、前端が前記各凹陥部３９の底面に開口し、後端が天板１４の背面に開口する複数個の挿通孔４１が形成されている。
【００２０】
前記鍵１５は、前記凹陥部３９内に出没自在に嵌挿される音階釦１５Ａと、前記挿通孔４１を摺動自在に貫通し前端に前記音階釦１５Ａが一体に設けられたピン１５Ｂと、前記ピン１５Ｂの後端に止めねじ４４によって固定された弦押え部材４５とからなり、圧縮コイルばね４６によって前記音階釦１５Ａが凹陥部３９から突出する方向に付勢されている。前記弦押え部材４５は、背面に弦１３を押圧するフェルト４７を有し、通常は前記圧縮コイルばね４６によって天板１４の裏面に圧接されている。このような弦押え部材４５とフェルト４７は、図５に示すように隣り合う２つのフレット１９間で弦１３の前方にそれぞれ位置し、音階釦１５Ａとは中心が一致していない。前記圧縮コイルばね４６は、ピン１５Ｂの前端部に弾装されることにより凹陥部３９内に位置し、音階釦１５Ａを前方に付勢している。なお、鍵１５の配列ピッチは、フレット１９のピッチが異なることから胴本体１２の胴尻部１２Ａ側から上方に向かうにしたがって徐々に小さくなるように変化しており、最低音側の鍵１５Ｌが胴尻側（１２Ａ）に位置し、最高音側の鍵１５Ｈが先端側（１２Ｂ）に位置している。
【００２１】
図４において、前記胴尻側ブロック２６は、響板２３、裏板２４および左右一対の側板２５の下端部内面に接合されることにより、胴本体１２内に位置して胴本体１２の下面を閉塞しており、出没自在なエンドピン５０がピン支持体５１を介して取付けられている。ピン支持体５１は、円筒体に形成されて上端部が胴尻側ブロック２６に形成した取付孔５３に嵌合し、下端部が胴尻側ブロック２６の下方に突出し、この突出端部にエンドピン５０を固定する固定ねじ５４が取付けられている。
【００２２】
前記エンドピン５０は、チェロに設けられているエンドピンと同様、演奏（弓奏）時に胴本体１２を安定した状態に支持するために用いられるもので、前記ピン支持体５１の中心孔５６を引出し自在に貫通して通常は前記胴本体１２内に収納されており、演奏時に適宜長さ引き出されて床面に立てられる。
【００２３】
図１および図３において、前記先端側ブロック２７は、前記胴本体１２の上端部を形成するもので、響板２３、裏板２４および左右一対の側板２５の上端に接合されており、表面に前記ピックアップ装置２１、上駒１７および弦張設機構である糸巻き２０が取付けられている。前記上駒１７は、前記糸巻２０とピックアップ装置２１との間に配置されている。先端側ブロック２７の下端部で弦１３の擦弦部Ａに対応する部分は、左右両側面に円弧状の凹部６０が形成されることにより頸部を形成している。また、この頸部の表面両側縁部にも、側方に向かってなだらかに傾斜する正面視三日月形状の凹部６１がそれぞれ形成されている。各凹部６１の傾斜角度αは略同一で、高音弦１３Ａと低音弦１３Ｂを弾くときの弓１１の水平面に対する傾き角度θと略等しいかまたはこれより大きい角度であることが望ましい。さらに、先端側ブロック２７の表面で前記擦弦部Ａに対応する部分には、共鳴孔６２が形成されている。
【００２４】
前記ピックアップ装置２１は、前記共鳴孔６２の下方に位置するように先端側ブロック２７の表面下端部で弦１３の擦弦部Ａの真後に配置されることにより、前記最高音側の鍵１５Ｈと上駒１７との間に位置している。また、ピックアップ装置２１は、一方の磁極（例えばＮ極）が弦１３と対向するように配設されたマグネットと、このマグネットを収納する絶縁材からなるケースと、マグネットの周囲に巻回されたピックアップコイル等（いずれも図示せず）を備え、弦１３の振動を電気信号に変換する。すなわち、演奏時に弦１３を弓１１で弾いて振動させると、当該弦１３とマグネットとの距離が変化するためマグネットの磁界が変化し、電磁誘導作用によってピックアップコイルに弦振動に応じた起電力が発生する。そして、この起電力は、楽音を生成する信号処理回路（図示せず）に送られ、増幅器によって増幅された後、スピーカから演奏音として発音される。このとき、ヘッドホン用のジャックを大正琴１０の出力端子に接続しておくと、ヘッドホンで演奏を聴くことができ、さらに他の消音楽器やＣＤプレーヤー、電気楽器などに接続して演奏すれば、これら楽器との合奏を楽しむことができる。なお、このような電磁式ピックアップ装置２１は、従来周知である（例えば、実開平５−３０８９６号公報、特開平１−２１１７９７号公報等）。
【００２５】
ここで、本実施の形態ではピックアップ装置２１として、電磁式のピックアップ装置を用いた例を示したが、これに限らず圧電式のピックアップ装置を用いてもよい。圧電式ピックアップ装置は、圧電素子と、この圧電素子の両面にそれぞれ形成された電極層とからなり、弦１３の振動に伴う両電極層間の電圧変化を電気信号として取出すようにしたものである。なお、このような圧電式ピックアップ装置を用いる場合は、上駒１７と先端側ブロック２７との接合面間に配置される。
【００２６】
前記上駒１７は、前記先端側ブロック２７の表面中央に共鳴孔６２より上方に位置するように立設されて各弦１３の上端部を支持しており、弦１３の振動を先端側ブロック２７を介して胴本体１２全体に伝達する。前記先端側ブロック２７の上端部には、各弦１３の上端を係止する前記糸巻き２０がそれぞれ取付けられている。
【００２７】
図１において、さらに前記胴本体１２の裏面側には膝当て７０が着脱可能に取付けられ、また右側面下端部には音量調整用つまみ７１と、スピーカが接続されるジャック７２が設けられている。膝当て７０は、図７に示すように椅子に座って弓奏するとき、奏者の右膝に当てられることにより、胴本体１２を安定した姿勢に保持するために用いられるもので、胴本体１２に対して右下がりに傾斜して取付けられ、左端部が胴本体１２の左方に突出している。
【００２８】
図７は大正琴１０の弓奏時における演奏状態を示す図である。弓奏時には、奏者が椅子に座り、大正琴１０を縦にしてエンドピン５０を胴本体１２から引き出し床面に突き立てる。また、先端側ブロック２７を胸に当て、膝当て７０を右膝の上に載せることにより大正琴１０を安定した状態に保持する。そして、右手に持った弓１１で弦１３の擦弦部Ａを擦り、左手で鍵１５の音階釦を押鍵操作して演奏する。演奏に際しては、先端側ブロック２７の表面で擦弦部Ａに対応する左右両側縁部に凹部６１をそれぞれ設けてあるので、弓１１を図３に示すように傾けて弦１３を弾いたとき、弓１１を把持している右手指や棹１１Ａの先端１１１ａまたは弓毛１１Ｂが先端側ブロック２７の表面に接触するおそれが少なく、良好に演奏することができる。
【００２９】
このように本発明に係る大正琴１０は、エンドピン５０を備え、椅子に座って弦１３を弓１１で擦って演奏するようにしたので、バイオリンやチェロに類似した弓弦楽器を構成し、大正琴の新しい演奏形態を創出することができる。
【００３０】
また、弓１１を用いずピックを用いて演奏するときは、エンドピン５０を胴本体１２内に収納して大正琴１０を卓上に水平に、かつ低音弦１３Ｂが手前側になるように設置し、ピックで弦１３の擦弦部Ａを弾いて演奏すればよい。したがって、１つの大正琴１０を演奏曲目や奏者の好みによって弓弦楽器または撥弦楽器として使用することができる。なお、卓上での演奏時は、膝当て７０が不要であるため、胴本体１２から取り外して大正琴１０を卓上に設置する。
【００３１】
また、本発明は、鍵１５を弦１３を挟んでその両側に二列に配置しているので、弦１３の張設方向に隣り合う鍵１５どうしの間隔を広くでき、演奏性を向上させることができる。
【００３２】
さらに、鍵１５は、弦１３と直交する方向に直線移動する釦方式を採っているので、従来の回動自在なレバー方式に比べて早弾き奏法を容易にする。すなわち、従来の大正琴は、ピアノの鍵盤と同様に弦から離間した位置に回動支点を有するてこ状の鍵レバーによって弦を押し下げて音程を決めているので、鍵レバーの弦押圧部の運動軌跡が長くなり、したがって、押鍵に時間がかかり、早弾き奏法に難点がある。一方、本発明においては、鍵を直線的に移動させるようにしているので、鍵を速く操作することができる。
【産業上の利用可能性】
【００３３】
なお、上記した実施の形態では、２本の弦１３を用いた大正琴を示したが、本発明はこれに何等限定されるものではなく、２本以上の弦を張設したものであってもよい。また、ピックアップ装置２１を備えない自然楽器としての大正琴にも適用することが可能である。
【図面の簡単な説明】
【００３４】
【図１】本発明に係る弓奏型大正琴の一実施の形態を示す正面図である。
【図２】図１のII−II線断面図である。
【図３】図１のIII −III 線断面図である。
【図４】図１のＩＶ−ＩＶ線断面図である。
【図５】（ａ），（ｂ）は弦押えフェルトによって弦を押さえる様子を示す図である。
【図６】段付きフレットと弦の関係を示す断面図である。
【図７】弓奏時の演奏状態を示す図である。
【図８】従来の大正琴の演奏状態を示す図である。
【符号の説明】
【００３５】
１０…弓奏型電気大正琴、１１…弓、１２…胴本体、１３…弦、１４…天板、１５…鍵、１６…下駒、１７…上駒、１８…指板、１９…フレット、２０…糸巻き、２１…ピックアップ装置、５０…エンドピン、７０…膝当て。
【図１】
2005283734.tif 000003
【図２】
2005283734.tif 000004
【図３】
2005283734.tif 000005
【図４】
2005283734.tif 000006
【図５】
2005283734.tif 000007
【図６】
2005283734.tif 000008
【図７】
2005283734.tif 000009
【図８】
2005283734.tif 000010